(57)【要約】【課題】内容器及び外胴ケースを備えた水加熱容器において、外胴ケースの高温化を抑制できるのに加えて、容量表示機構を簡単な構造で廉価に作製でき、しかも、内容器内の湯水の容量を外胴ケースの外方側部から正確に読み取ることができる水加熱容器の提供。【解決手段】水を貯留する樹脂材料からなる内容器６と、内容器６内の水を加熱する加熱機構と、内容器６の外方を所定の間隔を隔てて覆う樹脂材料からなる外胴ケース７と、外胴ケース７の外方側部から内容器６内の湯水の容量を目視可能な容量表示機構Ｙとを備え、容量表示機構Ｙが、内容器６の側壁の少なくとも一部を構成する透過性材料１１ａからなる透視部１１と、透視部１１に対応する状態で外胴ケース７に形成された透視用開口部２７と、内容器６の湯水の容量を表示する容量目盛１２とを備え、容量目盛１２が、透視部１１を構成する透過性材料１１ａに設けられている。【選択図】図５
2014226146.tif 000002
【特許請求の範囲】
【請求項１】
水を貯留する樹脂材料からなる内容器と、当該内容器内の水を加熱する加熱機構と、前記内容器の外方を所定の間隔を隔てて覆う樹脂材料からなる外胴ケースと、当該外胴ケースの外方側部から前記内容器内の湯水の容量を目視可能な容量表示機構とを備えた水加熱容器であって、
前記容量表示機構が、前記内容器の側壁の少なくとも一部を構成する透過性材料からなる透視部と、当該透視部に対応する状態で前記外胴ケースに形成された透視用開口部と、前記内容器の湯水の容量を表示する容量目盛とを備え、当該容量目盛が、前記透視部を構成する透過性材料に設けられている水加熱容器。
【請求項２】
前記外胴ケースの透視用開口部が、透過性覆い部材により封鎖されている請求項１に記載の水加熱容器。
【請求項３】
前記透視部を構成する透過性材料が、前記内容器を形成する樹脂材料に対してインサート成形により形成されている請求項１又は２に記載の水加熱容器。
【請求項４】
前記内容器と前記透過性材料とが、その外面において略面一に形成されている請求項１〜３のいずれか１項に記載の水加熱容器。
【請求項５】
前記内容器と前記外胴ケースとの間隔を保持するリブが、前記内容器から前記外胴ケースに向けて一体的に突出形成されるとともに、前記外胴ケースの透視用開口部の縁部に、前記外胴ケースから前記内容器に向けて一体的に突出形成されている請求項１〜４のいずれか１項に記載の水加熱容器。
【請求項６】
前記内容器が、その上下方向間に位置する首部で絞られて当該首部より上方の内容器上部と当該首部より下方の内容器下部とを有し、当該内容器下部に前記透視部が設けられ、前記外胴ケースが、少なくとも当該内容器下部の外方を覆っている請求項１〜５のいずれか１項に記載の水加熱容器。
【発明の詳細な説明】
【技術分野】
【０００１】
本発明は、水を貯留する樹脂材料からなる内容器と、当該内容器内の水を加熱する加熱機構と、内容器の外方を所定の間隔を隔てて覆う樹脂材料からなる外胴ケースと、当該外胴ケースの外方側部から内容器内の湯水の容量を目視可能な容量表示機構とを備えた水加熱容器に関する。
【背景技術】
【０００２】
水を貯留する樹脂材料からなる内容器と、当該内容器内の水を加熱する加熱機構とを備えた水加熱容器としては、例えば、電気ケトルがあり、従来、外胴ケースを備えていない電気ケトル、つまり、水を貯留する内容器が外郭を構成する電気ケトルは公知である（例えば、特許文献１参照）。
しかし、このような構成の電気ケトルでは、加熱機構により内容器内の水を加熱した際、外郭を構成する内容器の温度が高くなるという課題が存在する。
かかる課題を解消するものとして、従来、内容器の外方を所定の間隔を隔てて樹脂材料からなる外胴ケースにより覆って二重構造とし、内容器と外胴ケースとの間に断熱用の間隔を設けた構成の電気ケトルも知られている（例えば、特許文献２参照）。
更に、内容器及び外胴ケースを備えた電気ケトルにおいて、外胴ケースの外方側部から内容器内の湯水の容量を目視可能な容量表示機構を備えたものも知られている（例えば、特許文献３参照）。
【先行技術文献】
【特許文献】
【０００３】
【特許文献１】特開２００９−２８５１７０号公報
【特許文献２】特開２０１０−８２３８３号公報
【特許文献３】特開２０１２−１５２６０３号公報
【発明の概要】
【発明が解決しようとする課題】
【０００４】
しかしながら、特許文献３に記載の電気ケトルでは、容量表示機構が、樹脂製の内カバーと透明な樹脂製の外カバーとを高周波溶着で一体化した容量表示用の特別な容器を備え、当該容器の上部及び下部を内容器に連通させた構成であるため、構造が複雑となってコストの面でも不利となる問題があった。
また、容量表示用の容器内には、内容器内の高温の湯水が入り込むことになるが、当該容量表示用の容器が外胴ケースに形成した開口部に嵌入して、当該容器の外面が外胴ケースの外面と面一に構成されているので、使用者が高温の容量表示用の容器に触れるおそれもあり、この点にも問題があった。
【０００５】
本発明は、かかる実情に鑑みてなされたものであり、その目的は、樹脂材料からなる内容器及び外胴ケースを備えた水加熱容器において、外胴ケースの高温化を抑制できる構成であることに加えて、容量表示機構を簡単な構造で廉価に作製することができ、しかも、内容器内の湯水の容量を外胴ケースの外方側部から正確に読み取ることができる水加熱容器を提供することにある。
【課題を解決するための手段】
【０００６】
上記目的を達成するための本発明による水加熱容器は、水を貯留する樹脂材料からなる内容器と、当該内容器内の水を加熱する加熱機構と、前記内容器の外方を所定の間隔を隔てて覆う樹脂材料からなる外胴ケースと、当該外胴ケースの外方側部から前記内容器内の湯水の容量を目視可能な容量表示機構とを備えた水加熱容器であって、その特徴構成は、
前記容量表示機構が、前記内容器の側壁の少なくとも一部を構成する透過性材料からなる透視部と、当該透視部に対応する状態で前記外胴ケースに形成された透視用開口部と、前記内容器の湯水の容量を表示する容量目盛とを備え、当該容量目盛が、前記透視部を構成する透過性材料に設けられている点にある。
【０００７】
上記特徴構成によれば、樹脂材料からなる内容器及び外胴ケースを備え、外胴ケースの高温化を抑制することができるのに加えて、容量表示機構が、内容器の側壁の少なくとも一部を構成する透過性材料からなる透視部と、当該透視部に対応する状態で外胴ケースに形成された透視用開口部と、内容器の湯水の容量を表示する容量目盛とを備え、当該容量目盛が、透視部を構成する透過性材料に設けられているので、上記特許文献３に記載の容量表示機構のような特別な容器などを必要とせず、簡単な構造で廉価に作製することができ、しかも、内容器内の湯水の容量を正確に読み取ることができる。
【０００８】
すなわち、図７を参照して、透過性材料１１ａからなる透視部１１と、外胴ケース７に形成された透視用開口部２７と、容量目盛１２とから容量表示機構Ｙを構成する場合、図７（ｂ）に示す参考例のように、透視用開口部２７に透過性覆い部材２７ａを設け、当該透過性覆い部材２７ａに容量目盛１２を設けることが考えられる。
しかしながら、かかる構成では、容量目盛１２を読み取る際、その目線Ａが内容器６内の湯水の液面Ｂと一致せず、例えば、図７（ｂ）に示すように、湯水の液面Ｂより上方から斜め下方に向いていると、内容器６と外胴ケース７との間に断熱用の間隔が存在するため、読み取った目盛と実際の湯水の容量との間に誤差Ｃが生じることになる。つまり、目線Ａが湯水の液面Ｂより上方から斜め下方に向いていると、実際の容量より誤差Ｃだけ多く読み取り、逆に、下方から斜め上方に向いていると、誤差Ｃだけ少なく読み取ることになり、湯水の容量を正確に読み取ることができなくなるおそれがある。
それに対して、上記特徴構成によれば、図７（ａ）に示すように、容量目盛１２が透視部１１を構成する透過性材料１１ａに設けられているので、たとえ目線Ａが湯水の液面Ｂと一致しなくても、誤差が生じることは殆どなく、湯水の容量を正確に読み取ることができる。
【０００９】
よって、上記特徴構成によれば、樹脂材料からなる内容器及び外胴ケースを備えた水加熱容器において、外胴ケースの高温化を抑制することができるのに加えて、容量表示機構を簡単な構造で廉価に作製することができ、しかも、内容器内の湯水の容量を外胴ケースの外方側部から正確に読み取ることができる。
【００１０】
本発明による水加熱容器の更なる特徴構成は、前記外胴ケースの透視用開口部が、透過性覆い部材により封鎖されている点にある。
【００１１】
上記特徴構成によれば、外胴ケースの透視用開口部を透過性覆い部材により封鎖するので、外観上好ましいばかりか、細かい塵埃が透視用開口部を介して内容器と外胴ケースとの間に侵入することを防止することができるとともに、使用者が透視用開口部を介して高温になった透視部の透過性材料に直接触れることが防止される。
【００１２】
本発明による水加熱容器の更なる特徴構成は、前記透視部を構成する透過性材料が、前記内容器を形成する樹脂材料に対してインサート成形により形成されている点にある。
【００１３】
上記特徴構成によれば、インサート成形によって、内容器を成形する際に、透視部への透過性材料の取り付けも一挙に行うことができるとともに、透過性材料を内容器に対して強固に取り付けることができる。
【００１４】
本発明による水加熱容器の更なる特徴構成は、前記内容器と前記透過性材料とが、その外面において略面一に形成されている点ある。
【００１５】
上記特徴構成によれば、内容器と透過性材料との外面が略面一となっているため、透過性材料の外面と外胴ケースとの間に所定の間隔が保持されることで、外胴ケースの透視用開口部近傍の高温化も防止することができる。
【００１６】
本発明による水加熱容器の更なる特徴構成は、前記内容器と前記外胴ケースとの間隔を保持するリブが、前記内容器から前記外胴ケースに向けて一体的に突出形成されるとともに、前記外胴ケースの透視用開口部の縁部から前記内容器に向けて一体的に突出形成されている点にある。
【００１７】
上記特徴構成によれば、内容器及び外胴ケースから突出するリブによって、内容器と外胴ケースとの間に所定の間隔が確実に保持され、内容器と外胴ケースとの間の断熱効果を所望どおりに維持することができる。
特に、外胴ケースに関しては、透視用開口部を設けることにより、当該透視用開口部の近傍が強度的に弱くなるおそれがあるが、透視用開口部の縁部に一体的に突出形成されたリブが、透視用開口部近傍の補強にも寄与することになる。
【００１８】
本発明による水加熱容器の更なる特徴構成は、前記内容器が、その上下方向間に位置する首部で絞られて当該首部より上方の内容器上部と当該首部より下方の内容器下部とを有し、当該内容器下部に前記透視部が設けられ、前記外胴ケースが、少なくとも当該内容器下部の外方を覆っている点にある。
【００１９】
上記特徴構成によれば、容量表示機構を構成する透視部が、内容器下部に設けられているので、内容器内の湯水の容量が比較的少なくなっても、その容量を外胴ケースの外方から目視することができる。また、外胴ケースが、少なくとも内容器下部の外方を覆っているので、加熱機構により内容器内の水を加熱した際、湯水の容量の多少にかかわらず、常に高温になる可能性のある内容器部分を覆うことができるとともに、外胴ケースにより内容器の必要部分を効率よく覆ってコストの削減を図ることができる。
【図面の簡単な説明】
【００２０】
【図１】電気ケトルの外観を示す斜視図
【図２】電気ケトルの使用状態を示す斜視図
【図３】ケトル本体の縦断面図
【図４】ケトル本体の組み付け状態を示す分解斜視図
【図５】ケトル本体の組み付け状態を示す分解斜視図
【図６】ケトル本体の組み付け状態を示す分解斜視図
【図７】（ａ）本発明に係る容量表示機構の縦断面図、（ｂ）参考例を示す容量表示機構の縦断面図
【発明を実施するための形態】
【００２１】
本発明の実施の形態について、図面に基づいて説明する。
本願に係る電気ケトル（水加熱容器の一例）１は、図１〜図３に示すように、電源プレート２とケトル本体３から構成されている。電源プレート２は、図２に示すように、外形円形のプレートとして構成されており、その上面の中心部に給電機構４を備え、電源ケーブル（図示せず）をコンセント（図示せず）に接続することで、給電機構４を介して、ケトル本体３に給電可能に構成されている。
給電機構４は、電源プレート２の中心位置に、その上面より突出して形成されており、電源プレート２上にケトル本体３が載置された給電状態においては、給電機構４がケトル本体３内に嵌り込み、ケトル本体３の受電機構５を介してケトル本体３への給電が可能に構成されている。
【００２２】
ケトル本体３は、図３に示すように、水を貯留して加熱する有底の樹脂製の内容器６と、内容器６の外方を所定の間隔を隔てて覆う樹脂製の外胴ケース７と、外胴ケース７と一体的に形成された樹脂製のハンドル８と、注ぎ口９を備えて内容器６の上方開口を開閉自在に覆う蓋体１０とを主な部材として構成されている。
内容器６は、図３〜図５に示すように、その上下方向間に位置する首部６ｂで絞られて当該首部６ｂより上方の内容器上部６ａと当該首部６ｂより下方の内容器下部６ｃとを有している。つまり、内容器６は、首部６ｂが最も小径で、首部６ｂより下方に行くに従って徐々に大径になって内容器下部６ｃの下端部が最大径となり、内容器上部６ａが首部６ｂより若干大径となる形状に構成されている。
【００２３】
内容器６における内容器下部６ｃの側部には、図４及び図５に示すように、外胴ケース７の外方から内容器６内の湯水の容量を目視する容量表示機構Ｙの構成の一部が設けられている。すなわち、当該容量表示機構Ｙは、内容器６の側壁の一部を構成する透過性材料１１ａからなる透視部１１と、内容器６内の湯水の容量を表示する容量目盛１２と、後述する外胴ケース７に形成された透視用開口部２７とを備え、容量目盛１２が、透視部１１を構成する透過性材料１１ａに設けられている。
透過性材料１１ａは、内容器６を形成する樹脂材料に対してインサート成形により形成され、図７（ａ）に示すように、内容器６と透過性材料１１ａとが、概ね同じような厚さで、その外面において略面一に形成されている。
内容器下部６ｃの透視部１１の上方には、外胴ケース７を取り付けるためのネジ孔１３ａ付きのボス部１３が連設され、内容器下部６ｃの側部上方側には、内容器６の中心線Ｌを挟んで相対向する側、具体的には、注ぎ口９側（前方側）とハンドル８側（後方側）とに外胴ケース７を取り付けるための一対の取り付け部材１４が連設され、各取り付け部材１４には、内容器６の接線方向に平行な貫通孔１４ａが設けられている。
内容器下部６ｃの外周部には、内容器６と外胴ケース７との間に所定の間隔を保持するための複数の部分円環状のリブ１５が、透視部１１とハンドル８の取り付け部位を避けた位置において径方向外方側に突出する状態で連設されている。
【００２４】
内容器６の下方には、図３に示すように、内容器６内の水を加熱する概略円形状の電熱ヒータ（加熱機構の一例）１６と、電熱ヒータ１６への通電を断続するスイッチ機構１７と、バイメタル１８とが設けられている。スイッチ機構１７は、バイメタル１８が電熱ヒータ１６による加熱によって内容器６内に生じた蒸気を検知するのに伴って、より具体的には、バイメタル１８が蒸気の接触により設定温度（１００℃近傍）にまで加熱されることによる変形に伴って、電熱ヒータ１６への通電を停止する。
そのため、内容器６のハンドル８側には、横断面形状がコの字状の検知用蒸気流路形成体１９が上下方向に沿って取り付けられ、検知用蒸気流路形成体１９と内容器６の外周部との間に、内容器６内の蒸気をバイメタル１８にまで導く検知用蒸気流路２０が内容器６の外方でハンドル８側に形成配置されている。
【００２５】
検知用蒸気流路形成体１９の上方には、電熱ヒータ１６への通電を開始する通電スイッチ２１を備えた揺動レバー２２が配設され、揺動レバー２２とスイッチ機構１７とを連動連結するリンク機構２３が検知用蒸気流路形成体１９の外側に沿って配設されている。
そして、通電スイッチ２１を下方へ押圧すると、リンク機構２３及びスイッチ機構１７を介して電熱ヒータ１６に通電されて内容器６内の水が加熱され、バイメタル１８が蒸気を検知すると、スイッチ機構１７が電熱ヒータ１６への通電を停止するとともに、スイッチ機構１７及びリンク機構２３を介して通電スイッチ２１を押し上げて元の位置に戻すように構成されている。
【００２６】
内容器６の外方を覆う外胴ケース７は、図４及び図５に示すように、上下方向に延出するハンドル８の延出方向に沿って当該ハンドル８を略均等な一対のハンドル部材８ａ、８ｂに二分してその中心を通る状態で２つの外胴ケース部材７ａ、７ｂに分割されている。つまり、一方のハンドル部材８ａを有する一方の外胴ケース部材７ａと他方のハンドル部材８ｂを有する他方の外胴ケース部材７ｂとに略均等に二分割され、両外胴ケース部材７ａ、７ｂが、内容器６の横側方から内容器６の外方に組み付け可能に構成されている。
一方の外胴ケース部材７ａには、その前方側の端部の内側にネジ孔２４ａ付きの比較的短いボス部２４が連設され、後方側の端部の内側にネジ孔２５ａ付きの比較的長いボス部２５が連設され、その前方側及び後方側の端部の内側には、他方の外胴ケース部材７ｂを係止するための複数の係止部材２６ａがそれぞれ設けられている。
【００２７】
他方の外胴ケース部材７ｂには、透視用開口部２７が、内容器６の透視部１１に対応する状態で設けられ、上述したように、内容器６の側壁の一部を構成する透過性材料１１ａからなる透視部１１と、当該透視用開口部２７と、内容器６内の湯水の容量を表示する容量目盛１２とにより容量表示機構Ｙが構成され、図７（ａ）に示すように、容量目盛１２が、透視部１１を構成する透過性材料１１ａの外面に設けられるとともに、透視用開口部２７が透過性覆い部材２７ａにより封鎖されている。
透視用開口部２７の上方には、内容器６側のボス部１３に対応する状態で貫通孔２８ａ付きのボス部２８が内容器６側に向けて突設され、当該ボス部２８及び内容器６側のボス部１３は、内容器６と外胴ケース７との間に所定の間隔を保持するためにも寄与し、更に、他方の外胴ケース部材７ｂにおける透視用開口部２７の縁部には、内容器６と外胴ケース７との間に所定の間隔を保持するための上方解放のコの字状のリブ２９が、内側に位置する内容器６側に向けて突出するように一体形成されている。
そして、当該他方の外胴ケース部材７ｂの前方側及び後方側の端部には、一方の外胴ケース部材７ａの端部に設けられた複数の係止部材２６ａに係合する複数の被係止部材２６ｂがそれぞれ設けられている。
【００２８】
一方の外胴ケース部材７ａは、図４及び図５に示すように、内容器６の外方を覆う状態で、ネジ２４ｂを前方側の取り付け部材１４の貫通孔１４ａを通して短い方のボス部２４のネジ孔２４ａに螺合し、ネジ２５ｂを後方側の取り付け部材１４の貫通孔１４ａを通して長い方のボス部２５のネジ孔２５ａに螺合することにより、一対の取り付け部材１４を介して横側方から内容器６に組み付け可能に構成されている。
他方の外胴ケース部材７ｂは、当該一方の外胴ケース部材７ａに対して、被係止部材２６ｂを一方の外胴ケース部材７ａの係止部材２６ａに係合するとともに、ネジ１３ｂをボス部２８の貫通孔２８ａを通して一方の外胴ケース部材７ａ側のボス部１３のネジ孔１３ａに螺合することにより、横側方から内容器６に組み付け可能に構成されている。
【００２９】
２つの外胴ケース部材７ａ、７ｂを内容器６の外方に取り付けた状態では、他方の外胴ケース部材７ｂが、内容器６側に連設される一対の取り付け部材１４及びネジ２４ｂ、ネジ２５ｂを覆い隠すとともに、図１及び図６に示すように、両外胴ケース部材７ａ、７ｂに連設される一対のハンドル部材８ａ、８ｂが、検知用蒸気流路形成体１９の上方の通電スイッチ２１を挟み込むようにして検知用蒸気流路形成体１９とリンク機構２３とを覆って、両ハンドル部材８ａ、８ｂにより構成されるハンドル８の基部内、より具体的には、両外胴ケース部材７ａ、７ｂと両ハンドル部材８ａ、８ｂとの接続部の内側に検知用蒸気流路２０が配置されることになる。
そして、内容器６側のリブ１５が、両外胴ケース部材７ａ、７ｂの内面に、他方の外胴ケース部材７ｂ側のリブ２９が、内容器６の外面に当接するとともに、内容器６側のボス部１３と他方の外胴ケース部材７ｂ側のボス部２８も互いに当接して、内容器６と外胴ケース７との間に所定の間隔が保持される。
【００３０】
このようにして、内容器６の外方に両外胴ケース部材７ａ、７ｂを取り付けた状態では、両外胴ケース部材７ａ、７ｂからなる外胴ケース７が、内容器６における内容器上部６ａの下方の一部、首部６ｂ、及び、内容器下部６ｃの外方のみを覆って、内容器上部６ａの上方の一部が露出され、容量表示機構Ｙを通して内容器６内の湯水の容量を目視できるように構成されている。
内容器６の下方中心位置には、電源プレート２の給電機構４から受電する受電機構５が設けられ、両外胴ケース部材７ａ、７ｂの底部には、図６に示すように、樹脂製の底ケース部材３０が取り付けられて、図３に示すように、底ケース部材３０が、内容器６の下方に位置する受電機構５以外の部分を覆い隠すように構成されている。
底ケース部材３０は、その中心位置に給電機構４挿入用の円形開口部３０ａを備え、両外胴ケース部材７ａ、７ｂの下方端部に外嵌する状態で、ネジにより内容器６側に連結固定される。
【００３１】
内容器６の上方を覆う蓋体１０は、その前方に注ぎ口９を備え、内容器６の上方開口に装着自在な蓋本体３１と、蓋本体３１に上方から被さる蓋カバー３２と、蓋カバー３２に揺動自在に取り付けられた前後方向に延出する注ぎ口開閉部材３３とを主な部材として構成されている。
蓋本体３１には、図３に示すように、弁体３４ａ、弁座３４ｂ、及び、弁体３４ａを弁座３４ｂに弾性的に当接させるスプリング３４ｃからなる弁機構３４が内装され、注ぎ口開閉部材３３の後方側に設けられた操作部３３ａを下方へ押し下げることにより、弁体３４ａがスプリング３４ｃの弾性力に抗して弁座３４ｂから離間して弁機構３４が開弁し、内容器６内の湯水が注出路３５を通って注ぎ口９から流出可能に構成されている。
蓋本体３１には、電気ケトル１の転倒時に湯水の流出を防止するためのボール３６を収納するボール収納室３７が設けられ、通常の姿勢においては、図３において破線で示すように、内容器６からの蒸気が、ボール収納室３７を通って検知用蒸気流路２０に導かれると同時に、注ぎ口９に導かれて外部に放出されるように構成されている。
【００３２】
ケトル本体３の組み付け方法について説明する。
まず、図４に示すように、内容器６の側部におけるハンドル８の取り付け部位に検知用蒸気流路形成体１９を取り付け、その上方に通電スイッチ２１を有する揺動レバー２２を配置するとともに、その外方にリンク機構２３を配置する。
その後、一方の外胴ケース部材７ａを内容器６の横側方から内容器６の外方に組み付け、ネジ２４ｂ、２５ｂを取り付け部材１４の貫通孔１４ａを通して一方の外胴ケース部材７ａのボス部２４、２５のネジ孔２４ａ、２５ａに螺合して、一方の外胴ケース部材７ａを内容器６に取り付ける。
次に、図５に示すように、他方の外胴ケース部材７ｂを内容器６の横側方から内容器６の外方に組み付け、その前方側及び後方側の端部に設けられた被係止部材２６ｂを一方の外胴ケース部材７ａの前方側及び後方側の端部に設けられた係止部材２６ａに係止するとともに、そのボス部２８の貫通孔２８ａにネジ１３ｂを通して内容器下部６ｃのボス部１３のネジ孔１３ａに螺合して、他方の外胴ケース部材７ｂを内容器６及び一方の外胴ケース部材７ａに取り付ける。
【００３３】
その後、図６に示すように、両外胴ケース部材７ａ、７ｂにより形成された外胴ケース７の底部に底ケース部材３０を組み付けてネジにより内容器６に取り付ける。
そして、最後に、蓋体１０を内容器６に組み付け、透過性覆い部材２７ａを透視用開口部２７に取り付ける。
ただし、蓋体１０の組み付けは、必ずしも最後に行う必要はなく、例えば、一方の外胴ケース部材７ａを内容器６に取り付ける前、あるいは、取り付けた後に組み付けることもできる。
透過性覆い部材２７ａの取り付けも同様であるが、透過性覆い部材２７ａは、内容器６の透視部１１に対応する部分のみが透過性を備え、その他の周囲部分は不透明に構成されてネジ１３ｂを覆い隠すように設定されているので、ネジ１３ｂを内容器６のボス部１３のネジ孔１３ａに螺合して、他方の外胴ケース部材７ｂを内容器６側に取り付けた後、透過性覆い部材２７ａを取り付けることになる。
【００３４】
〔別実施形態〕
（Ａ）上記実施形態では、水加熱容器の一例として電気ケトル１を示したが、電気ケトル１以外にも、例えば、電気ポット、卓上ポット、加湿器などの各種の水加熱容器に適用可能である。
また、内容器６の一部に透過性材料１１ａからなる透視部１１を設けた例を示したが、例えば、内容器６全体を透過性の樹脂材料から形成し、その一部に容量目盛１２を設けて透視部１１を構成することもできる。
更に、外胴ケース７の透視用開口部２７を透過性覆い部材２７ａにより封鎖した例を示したが、例えば、上記実施形態に記載したように、透視用開口部２７の縁部から内容器６に当接するリブ２９を突設することで、細かい塵埃が内容器６と外胴ケース７との間に侵入することを防止することができるので、必ずしも透視用開口部２７を透過性覆い部材２７ａにより封鎖する必要はない。
また、透視用開口部２７を透過性覆い部材２７ａにより封鎖する場合、当該透過性覆い部材２７ａを外胴ケース７を形成する樹脂材料に対してインサート成形により形成して、透視用開口部２７を封鎖するように構成することもできる。
【００３５】
（Ｂ）上記実施形態では、透視部１１を構成する透過性材料１１ａを内容器６を形成する樹脂材料に対してインサート成形により形成した例を示したが、例えば、内容器６に透視部１１用の開口部を設け、その開口部に対して透過性材料１１ａを嵌め込んで接着することも可能である。更に、内容器６と透過性材料１１ａとを概ね同じような厚さにして、その外面において略面一に形成した例を示したが、内容器６と透過性材料１１ａとの厚さに関しては、必ずしも、概ね同じような厚さにする必要はなく、また、内容器６と透過性材料１１ａとの外面に関しても、必ずしも略面一にする必要はない。
また、透過性材料１１ａの外面に容量目盛１２を設けた例を示したが、透過性材料１１ａの内面に容量目盛１２を設けることも、透過性材料１１ａの厚み内に容量目盛１２を埋め込むこともでき、容量目盛１２を設ける位置及びその具体的な表示形態については適宜変更することができる。
更に、外胴ケース７が、内容器６における内容器上部６ａの一部、首部６ｂ、内容器下部６ｃの外方のみを覆うように構成した例を示したが、例えば、内容器６全体を完全に覆うように構成することも、また、内容器６の首部６ｂから下のみを覆うように構成することもでき、この点については適宜変更することができ、同様に、内容器６と外胴ケース７との間隔を保持するリブ１５、２９についても、その位置及び個数は適宜変更することができる。
【００３６】
なお、上記の実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００３７】
以上説明したように、樹脂材料からなる内容器及び外胴ケースを備えた水加熱容器において、容量表示機構を簡単な構造で廉価に作製することができ、しかも、内容器内の湯水の容量を外胴ケースの外方側部から正確に読み取ることができる水加熱器を得ることができる。
【符号の説明】
【００３８】
１            電気ケトル（水加熱容器）
６            内容器
６ａ          内容器上部（内容器）
６ｂ          首部（内容器）
６ｃ          内容器下部（内容器）
７            外胴ケース
１１          透視部（容量表示機構）
１１ａ        透過性材料（容量表示機構）
１２          容量目盛（容量表示機構）
１５、２９    リブ
２７          透視用開口部（容量表示機構）
２７ａ        透過性覆い部材
Ｙ            容量表示機構
【図１】
2014226146.tif 000003
【図２】
2014226146.tif 000004
【図３】
2014226146.tif 000005
【図４】
2014226146.tif 000006
【図５】
2014226146.tif 000007
【図６】
2014226146.tif 000008
【図７】
2014226146.tif 000009